(57)【要約】  本発明は、一端が連結され、他端には飲食物挟持部が形成されている一対のスティックから構成される挟み形態の飲食物挟持具であって、前記一対の飲食物挟持部は、それぞれスプーンを半割れにした形状を有し、このような一対の飲食物挟持部を合わせた場合、一つのスプーン形状をなすように構成されていることを特徴とする。  本発明によれば、飲食物を挟持することができる通常の箸の機能を有するとともに、飲食物を掬って移動させることができるスプーンの機能を同時に実現することができることから、食事や料理時に非常に便利に使用できる飲食物挟持具を提供することができる。  本発明の飲食物挟持具は、独特の形態のスティック構造及びスティック配置構造を有しており、より小さな力でも飲食物を挟持することができるとともに、長期間繰り返して使用してもその形態が変形し難く、耐久性にも優れている。また、飲食物挟持部の結合を助ける付加的な構成要素を備えることによって、飲食物挟持部がより整合性よく結合され、より安定的に飲食物を移動させることができるという効果がある。
2008520334.tif 000002
【特許請求の範囲】
【請求項１】
一端が連結され、他端には、飲食物挟持部が形成されている一対のスティックから構成される挟み形態の飲食物挟持具であって、
前記一対の飲食物挟持部（１０、１０’）は、それぞれスプーンを半割れにした形状を有し、このような一対の飲食物挟持部を合わせた場合、一つのスプーン形態をなすように構成されていることを特徴とする飲食物挟持具。
【請求項２】
前記一対の飲食物挟持部（１０、１０’）の内側面の少なくとも一部には、互いに対応する形態の鋸歯状部（１１、１１'）が形成されていることを特徴とする請求項１に記載の飲食物挟持具。
【請求項３】
前記スティック（Ｓ、Ｓ’）の飲食物挟持部（１０、１０’）とスティック連結部３０の中間部位に、隣接部より拡張された、手で把持するグリップ部（２０、２０’）が形成されていることを特徴とする請求項１または請求項２に記載の飲食物挟持具。
【請求項４】
前記手で把持するグリップ部（２０、２０’）とスティック連結部３０との間であるスティック後半部（Ｂ、Ｂ'）が、前記手で把持するグリップ部（２０、２０’）と飲食物挟持部（１０、１０’）との間であるスティック前半部（Ａ、Ａ’）に比べて、幅が広く、厚さが薄くなるように構成されていることを特徴とする請求項３に記載の飲食物挟持具。
【請求項５】
前記スティック後半部（Ｂ、Ｂ’）は、弾力性及び強度を向上させるために、一定の大きさのスロット（２３、２３'）を備えることを特徴とする請求項４に記載の飲食物挟持具。
【請求項６】
前記スティック連結部３０の内周面３１は、円柱形態でその面が緩やかに湾曲していることを特徴とする請求項４に記載の飲食物挟持具。
【請求項７】
前記手で把持するグリップ部（２０、２０’）の内側面は、スティック前半部（Ａ、Ａ’）とスティック後半部（Ｂ、Ｂ’）の内側面とをつなげる緩やかな傾斜面（２１、２１’）に形成されていることを特徴とする請求項４乃至請求項６のいずれかに記載の飲食物挟持具。
【請求項８】
前記スティック連結部３０は、スティック後半部（Ｂ、Ｂ’）より拡張されていることを特徴とする請求項７に記載の飲食物挟持具。
【請求項９】
前記手で把持するグリップ部（２０、２０’）が下方に拡張され、前記スティック連結部３０が下方向に傾くように形成されていることを特徴とする請求項７に記載の飲食物挟持具。
【請求項１０】
前記手で把持するグリップ部（２０、２０’）の飲食物挟持部の一側面（１０、１０’）は、凹んだ湾曲面（２２、２２’）に形成されていることを特徴とする請求項８または請求項９に記載の飲食物挟持具。
【請求項１１】
前記飲食物挟持部（１０、１０’）と隣接するスティックＳの内側面に突出部Ｐが形成され、これと対応する他方のスティックＳ'の内側面には、前記突出部Ｐが挿入される結合溝Ｈが形成されていることを特徴とする請求項３に記載の飲食物挟持具。
【請求項１２】
前記飲食物挟持部（１０、１０’）と隣接するスティックＳの内側面に突出部Ｐが形成され、これと対応する他方のスティックＳ'の内側面には、前記突出部Ｐが挿入される結合溝Ｈが形成されていることを特徴とする請求項１０に記載の飲食物挟持具。
【請求項１３】
前記飲食物挟持部（１０、１０’）と隣接する一側のスティックＳの内側面に、他方のスティックＳが嵌め込まれる嵌込ガイドＧが形成されていることを特徴とする請求項３に記載の飲食物挟持具。
【請求項１４】
前記飲食物挟持部（１０、１０’）と隣接する一側のスティックＳの内側面に、他方のスティックＳが嵌め込まれる嵌込ガイドＧが形成されていることを特徴とする請求項１２に記載の飲食物挟持具。
【請求項１５】
前記手で把持するグリップ部（２０、２０’）の飲食物挟持部の一側面（１０、１０’）は、凹んだ湾曲面（２２、２２’）に形成されていることを特徴とする請求項請求項９に記載の飲食物挟持具。
【発明の詳細な説明】
【技術分野】
【０００１】
本発明は、飲食物挟持具に関し、特に、飲食物を挟持する一対の飲食物挟持部がそれぞれ一つのスプーンを半割れにした形状を有する挟み形態の飲食物挟持具に関するものである。
【背景技術】
【０００２】
一般に、飲食物を挟持する挟持具としては、箸や料理用挟み器具などが多く使用されている。
【０００３】
本発明の出願人は、箸の使用が慣れない外国人や子供、体が不便な老弱者、あるいは手顫症(hand tremor)の患者のために、通常の箸と食べ物用挟みを結合させたような形態の挟み形態を有する箸を提案した（本発明の出願人が先に出願した韓国実用新案登録第１４５８４１号、第２３５６３５号参照）。
【０００４】
しかし、このような従来の挟み形態の飲食物挟持具は、飲食物を安定的に把持するか、挟持することに重点をおいた箸と類似した形態を有している。そのため、飲食物を掬って移動させるなど、スプーンのような機能をすることができず、実際に、食事や料理時に、飲食物または調味料の形態や種類に応じて、スプーン形態の食事器具もしくは調理器具が必要になることが多い。
【０００５】
一方、図１に示すように、スプーン６と、フォークまたは箸５とを、中心軸１を基準にして回転可能になるように、その両方の柄先部分を結合させた回転可能なスプーン兼用箸またはフォークが提案されている。
【０００６】
しかし、このような器具は相対的にサイズが大きく、フォークまたは箸５とスプーン６とをその度用途に応じて選択して使用しなければならず、煩わしいという問題点があった。
【発明の開示】
【発明が解決しようとする課題】
【０００７】
そこで、本発明は、上記従来の問題点に鑑みてなされたものであって、スプーン形態の飲食物挟持部を備えることによって、飲食物を挟持する箸の機能と、掬うスプーンの機能を同時に有することができる飲食物挟持具を提供することにその目的がある。
【０００８】
また、本発明の他の目的は、手で把持しやすい飲食物挟持具を提供することにある。
【０００９】
また、本発明の他の目的は、小さな力でも飲食物を容易に挟持することができるようにすると同時に、飲食物を挟持するとき、挟持部が互いに交差しないような飲食物挟持具を提供することにある。
【課題を解決するための手段】
【００１０】
上記目的を達成するためになされた本発明による飲食物挟持具において、一端が連結され、他端には飲食物挟持部が形成されている一対のスティックから構成される挟み形態の飲食物挟持具であって、前記一対の飲食物挟持部は、それぞれスプーンを半割れにした形状を有し、このような一対の飲食物挟持部を合わせた場合、一つのスプーン形状をなすように構成されていることを特徴とする。
【００１１】
前記飲食物挟持部の内側面の少なくとも一部は、それと対応する飲食物挟持部の内側面の少なくとも一部と噛み合うように鋸歯状に形成されることが好ましい。
【発明を実施するための最良の形態】
【００１２】
以下、添付した図面を参照して本発明の好ましい実施形態を詳細に説明する。
【００１３】
図２乃至図４は、各々本発明の飲食物挟持具の一実施形態を示す斜視図と、平面図と、側面図である。
【００１４】
図２に示すように、本発明の飲食物挟持具は、一端が連結された二つのスティック（Ｓ、Ｓ’）で構成される挟み形態を有している。前記スティック（Ｓ、Ｓ’）の他端には、スプーンを半割れにした形態の飲食物挟持部（１０、１０'）が備えられている。前記挟持具を閉じると、各スティックの飲食物挟持部（１０、１０'）が当接するようになり、一つのスプーン形状を形成することになる。
【００１５】
前記飲食物挟持部（１０、１０’）が当接するときの整合性を高めるために、飲食物挟持部（１０、１０’）の互いに対応する内側面の少なくとも一部を鋸歯状部（１１、１１'）に形成することができる。このようにすることで、挟持具を閉じた場合、飲食物挟持部（１０、１０’）が鋸歯状部（１１、１１'）で噛み合うようになり、飲食物挟持部（１０、１０’）が互いに交差することを防止することができる。
【００１６】
また、本発明の挟持具は、スティック連結部３０と飲食物挟持部（１０、１０’）との間である前記スティック（Ｓ、Ｓ’）の中間部位に、隣接部より拡張した手で把持するグリップ部（２０、２０’）が形成されることが好ましい。前記グリップ部（２０、２０’）が隣接部より拡張されている場合、挟持具を、例えば、食卓の上に置いたとき、飲食物挟持部（１０、１０’）が食卓の上面から離れるようになり、飲食物挟持部が食卓の上面の異物によって汚染することを防止できるという特長がある。
【００１７】
前記手で把持するグリップ部（２０、２０’）の形態は、把持を容易にするために様々な形態に変形することができる。例えば、手で把持するグリップ部（２０、２０’）が、図４に示すように、下方に拡張されている場合は、飲食物挟持部（１０、１０’）側の一側面を凹状に湾曲するように形成することにより、指をその湾曲面（２２、２２’）につけて挟持具を容易に把持することができる。
【００１８】
一方、前記スティック（Ｓ、Ｓ’）を一定の厚さと幅を有するように形成する場合は、挟持具を閉じるのに力が多くかかるだけでなく、閉じられた挟持具が元の位置に戻る弾性復元力も弱くなり、長期間使用することによって両方のスティック部分（Ｓ、Ｓ’）が内側に曲がってしまうなど、挟持具の形状が変形するという問題点がある。
【００１９】
このようなことから、図２及び図３に示すように、前記手で把持するグリップ部（２０、２０’）とスティック連結部３０との間であるスティック後半部（Ｂ、Ｂ'）を、前記手で把持するグリップ部（２０、２０’）と飲食物挟持部（１０、１０’）との間であるスティック前半部（Ａ、Ａ’）に比べて、幅が広く、厚さが薄くなるように構成することが好ましい。前記スティック後半部（Ｂ、Ｂ’）は、本発明による挟持具を使用する場合、手や手のひらで握られる部分であるので、その部分の幅をスティック前半部（Ａ、Ａ’）より広くすることによって把持が容易になるという効果がある。同時に、スティック後半部（Ｂ、Ｂ’）の厚さをスティック前半部（Ａ、Ａ’）より狭くする場合には、スティック前半部（Ａ、Ａ’）-スティック後半部（Ｂ、Ｂ’）-スティック連結部３０の相対的な厚さと幅の差のため、相対的に変形角度の内側にあるスティック後半部（Ｂ、Ｂ’）の弾性力及び弾性復元力が増大することになる。これにより、手で把持するグリップ部（２０、２０’）を中心にスティック前半部（Ａ、Ａ’）側はそれを閉じるときにかかる力が小さくなり、飲食物を容易に挟持することができると同時に、挟持具の使用後には、前記スティック後半部（Ｂ、Ｂ’）の強い弾性復元力により挟持具が元の形状に戻りやすくなり、長期間繰り返して使用しても挟持具の形状が変形することがないという特長がある。
【００２０】
また、前記スティック連結部３０の内周面３１を緩やかな円弧状の曲面に形成する場合、両方のスティック（Ｓ、Ｓ’）の移動角度が相対的に大きくなるので、比較的大きな飲食物もより簡単に挟持することができるようになる。同時に、スティック後半部（Ｂ、Ｂ’）の弾性復元力も増加する。
【００２１】
一方、手で把持するグリップ部（２０、２０’）を中心にスティック前半部（Ａ、Ａ’）と後半部（Ｂ、Ｂ’）との厚さが異なるので、その中間部である手で把持するグリップ部（２０、２０’）の内側面または外側面には、自然に階段形状あるいは傾斜面のような段差が形成される。しかし、前記手で把持するグリップ部（２０、２０’）の外側面に段差が形成される場合、段差部に応力が集中して破損するおそれがあり、手で握るときも不便である。このため、図示されているように、前記グリップ部（２０、２０’）の外側面は、緩やかな曲率を有する同一平面に形成し、その内側面は、スティック前半部（Ａ、Ａ’）とスティック後半部（Ｂ、Ｂ’）の内側面をつなげる緩やかな傾斜面（２１、２１’）に形成することが好ましい。手で把持するグリップ部（２０、２０’）の内側面が緩やかな傾斜面（２１、２１’）に形成される場合、図３の平面図に明確に示されるように、挟持具の後半部であるスティック後半部（Ｂ、Ｂ’）とスティック連結部３０とを合わせた部分の内周面が端部が内側に凹んだＵ字状になる。
【００２２】
このような形態にすることにより、スティック後半部（Ｂ、Ｂ’）の弾性復元力はそのまま維持しながらも、スティック前半部（Ａ、Ａ’）を閉じる力は相対的に減少するので、飲食物をより容易に挟持することができるようになる。
【００２３】
一方、前記手で把持するグリップ部（２０、２０’）を隣接部より拡張させて形成すると同時に、前記スティック連結部３０も前記スティック後半部（Ｂ、Ｂ’）より拡張するように形成する場合、挟持具の先端の飲食物挟持部（１０、１０’）がテーブルの上面などに接触することを確実に防止することができる。前記手で把持するグリップ部（２０、２０’）とスティック連結部３０の拡張方向は、隣接部の上側または下側の一方向に拡張させるか、あるいは両方向に拡張させることができる。つまり、隣接部より幅を大きく形成するなど、その具体的な形態には特に制限はなく、様々な形態に形成できる。
【００２４】
次に、図４に示すように、前記手で把持するグリップ部（２０、２０’）を下方に拡張させると同時に、前記スティック連結部３０を下向きに傾くように形成することも可能である。このような構成により、先端の飲食物挟持部（１０、１０’）がテーブルの上面などに接触することを確実に防止することができる。このとき、スティック連結部３０の幅や厚さをスティック後半部（Ｂ、Ｂ’）より相対的に厚くするなど、スティック連結部３０の重量を増大させる場合、重心が後方に移動するようになり、飲食物挟持部（１０、１０’）がテーブルの上面などに接触することをより效果的に防止することができる。
【００２５】
図２に示すように、前記スティック後半部（Ｂ、Ｂ’）の弾力性及び強度を向上させるために、一定の大きさのスロット（２３、２３'）をスティック後半部（Ｂ、Ｂ’）に形成することも可能である。前記スロット（２３、２３’）は、２次慣性力を高めることから、前記スティック後段部（Ｂ、Ｂ’）の弾力性及び強度の向上をもたらすと同時に、重量が減少し、原材料費用も安くなるという効果も奏する。
【００２６】
図５及び図６に示すように、前記手で把持するグリップ部（２０、２０'）は、下端に拡張されることができ、また、スティック連結部３０もこれとともに下端に傾くようになる。このような構造により、挟持具の先端の飲食物挟持部（１０、１０’）がテーブルの表面などに接触しないようにすることが可能になる。すなわち、例えば、スティック連結部３０の広さや厚さを増加させることによって、重量が増加し、その結果、相対的に重量が後端に傾くようになり、より効率よく飲食物挟持部（１０、１０’）がテーブルの表面などに接触することを防止できるようになる。
【００２７】
図７は、図５の飲食物挟持具の使用状態を示す図であり、以下では、図５を参照して本発明の作用を説明する。
【００２８】
図７に示すように、挟持具の手で把持するグリップ部（２０、２０’）を手で握り、両方のスティック（Ｓ、Ｓ’）を閉じて飲食物を飲食物挟持部（１０、１０’）の内側面（飲食物挟持面）に挟んで飲食物を挟持することができる。さらに、前記飲食物挟持部（１０、１０’）を互いに当接させることによって、両方のスティック（Ｓ、Ｓ’）の飲食物挟持部（１０、１０’）が合わせられて一つのスプーン形状をなすようになり、飲食物を掬って移動させることができるなど、スプーンとして使用ことができるようになる。前記挟持具を箸のように使用することももちろん可能である。その場合には、通常の箸を使用する方法と同様に、人差し指を前記手で把持するグリップ部（２０、２０’）の湾曲面（２２、２２’）にかけて挟持具を把持することができる。
【００２９】
スティック（Ｓ、Ｓ’）を閉じた場合、飲食物挟持部（１０、１０’）が互いに交差することを防止し、より正しくかつ確実に飲食物挟持部（１０、１０’）が結合されるようにするために、別の構成要素をスティック（Ｓ、Ｓ’）にさらに加えることもできる。
【００３０】
図８及び図９は、このような例を示す本発明の飲食物挟持具の他の実施形態を示す斜視図である。
【００３１】
本実施形態では、飲食物挟持部（１０、１０’）と隣接する一側スティックＳの内側面に突出部Ｐが形成され、これと対応する他方のスティックＳ'の内側面には、前記突出部Ｐが挿入される結合溝Ｈが形成されている。スティック（Ｓ、Ｓ’）を閉じた場合、前記突出部Ｐは、前記結合溝Ｈに挿入されて、飲食物挟持部（１０、１０’）をより正確に結合させると同時に、スティック及び飲食物挟持部（１０、１０’）が互いにずれて交差することを防止することができる。
【００３２】
また、前記一側のスティックＳ'の内側面に、他方のスティックＳが嵌め込まれる嵌込ガイドＧを形成することによって、上述の防止効果がより向上する。
【００３３】
図９は、図８の飲食物挟持具の使用状態を示す図である。
【００３４】
同図に示すように、両方のスティック（Ｓ、Ｓ’）を閉じた場合、飲食物挟持部（１０、１０’）の鋸歯状部（１１、１１'）の噛み合い、スティックの内側面の突出部Ｐと結合溝Ｈとの結合、嵌込がイドＧとスティックＳ'との結合により、飲食物挟持部（１０、１０’）がより整合性よく結合される。このように、本実施形態によれば、単に両方のスティックの手で把持するグリップ部（２０、２０’）を押すだけで、前記結合部などがほぼ同時に結合されるので、この挟持具をスプーンとして使用するときにも非常に便利である。
【００３５】
本発明によれば、飲食物を挟持するための通常の箸の機能を有するとともに、スプーン形状の飲食物挟持部を備えることにより、飲食物を掬って移動させることができるスプーンの機能を同時に実現することができることから、食事や料理時に非常に便利に使用できるという効果がある。
【００３６】
また、本発明の飲食物挟持具は、独特の形態のスティック構造及びスティック配置構造を有しているので、小さな力でも飲食物を挟持することができるとともに、長期間繰り返して使用してもその形態が変形し難く、耐久性にも優れている。
【００３７】
さらに、本発明の挟持具は、手で把持し易い構造を有し、飲食物挟持部の結合を助ける付加的な構成要素を備えることにより、飲食物を取るとき飲食物挟持部が互いに交差することがなく、飲食物挟持部がより整合性よく結合され、より安定的に飲食物を移動させることができるという効果がある。
【産業上の利用可能性】
【００３８】
本発明による飲食物挟持具は、スプーンと箸の機能を同時に有する新しい形態の発明として、該当分野の産業領域における新しい市場の創出などを可能とする。
【図面の簡単な説明】
【００３９】
【図１】従来の回転可能なスプーン兼用の箸またはフォークを示す図。
【図２】本発明の飲食物挟持具の一実施形態を示す斜視図。
【図３ａ】図２の飲食物挟持具の平面図。
【図３ｂ】図２の飲食物挟持具の平面図を拡大した拡大図。
【図４】図２の飲食物挟持具の側面図。
【図５】図２の飲食物挟持具の使用状態を示す図。
【図６】図５の飲食物挟持具の側面図。
【図７】図５の飲食物挟持具の使用状態を示す図。
【図８】本発明の飲食物挟持具の他の実施形態を示す斜視図。
【図９】図８の飲食物挟持具の使用状態を示す図。
【符号の説明】
【００４０】
１０、１０’  飲食物挟持部
１１、１１'  鋸歯状部
２０、２０’  手で把持するグリップ部
２１、２１’  傾斜面
２２、２２’  湾曲面
３０  スティック連結部
３１  スティック連結部の内周面
Ｓ、Ｓ’  スティック
Ａ、Ａ’  スティック前半部
Ｂ、Ｂ’  スティック後半部
Ｐ  突出部
Ｈ  結合溝
Ｇ  嵌込ガイド
【図１】
2008520334.tif 000003
【図２】
2008520334.tif 000004
【図３】
2008520334.tif 000005
【図４】
2008520334.tif 000006
【図５】
2008520334.tif 000007
【図６】
2008520334.tif 000008
【図７】
2008520334.tif 000009
【図８】
2008520334.tif 000010
【図９】
2008520334.tif 000011
【国際調査報告】
2008520334.tif 000012
2008520334.tif 000013